(57)【特許請求の範囲】
【請求項１】
内容物の充填空間に繋がる口部を有する容器本体と、該容器本体の口部に設けられる注出栓とを備え、該注出栓を詰替えるべき容器の口部に挿入して該充填空間内の内容物を移し替える詰替え容器であって、
前記注出栓は、前記容器本体の口部に装着されるベースと、内容物の注出路を有し該ベースに揺動可能に保持される筒体とを備え、
該ベースは、充填空間内の内容物を排出する排出口と、充填空間内に空気を導入する通気口とをそれぞれ有し、前記容器本体の底部に向けて伸延し該通気口と連通する空気置換用パイプを備え、
前記筒体は、該筒体を引き倒した閉鎖姿勢にて前記注出路と該排出口及び該通気口とを非連通にする閉鎖壁を有し、該閉鎖壁に、該筒体を引き起こした傾斜姿勢にて該注出路に該排出口のみを連通させるとともに、該筒体をさらに引き起こした倒立姿勢にて該注出路に該排出口及び該通気口の両方を連通させる貫通開孔を設けることを特徴とする詰替え容器。
【請求項２】
前記筒体は、該筒体の外面に、該筒体を詰替えるべき容器の口部に挿入して引き起こすに当たり該筒体の先端部とともに該口部内面に当接して該筒体を一時的に保持するリブを備え、該リブは、前記倒立姿勢にて前記ベースに当接する後端側端部を有する請求項１に記載の詰替え容器。
【発明の詳細な説明】
【技術分野】
【０００１】
本発明は、内容物の充填空間に繋がる口部を有する容器本体と、この容器本体の口部に設けられる注出栓とを備える詰替え容器に関し、特に、容易かつスムーズな詰替え作業を実現しようとするものである。
【背景技術】
【０００２】
シャンプーやリンス、洗剤、消臭除菌剤あるいは化粧品などを入れる容器は、内容物の適量取り出しを可能とするために、ポンプのような吐出器が容器の口部に装着されて市場を流通しており、内容物を使いきった後は、別途に市販されている詰替え容器から新たな内容物を移し替えて元の容器（詰替えるべき容器）を再利用することによって資源の有効活用が図られている。
【０００３】
ところで、詰替え容器は、パウチタイプの容器や薄肉のブロー成形容器など剛性の低い容器が適用されることが多いため変形し易く、内容物の詰替えが行い難いばかりか内容物が手指に付着するおそれもあった。この問題を解消するため、特許文献１には、容器本体の口部に、該口部に係合保持されるベースと、該ベースに回動可能に保持されその引き起こしによる起立姿勢でベースに形成した開口部と整列して内容物の注出を可能にする筒体と、からなる注出栓を装着してなる詰替え容器が開示されている。そして、このような詰替え容器によれば、詰替えが行われる容器の口部に、注出栓の筒体を引っ掛けて当該筒体を引き起こすだけで詰替え容器内の内容物を移し替えることができる、とする。
【先行技術文献】
【特許文献】
【０００４】
【特許文献１】特開２０１１−１５７０９６号公報
【発明の概要】
【発明が解決しようとする課題】
【０００５】
ところで、特許文献１にて提案された詰替え容器は、容器全体を逆さにした状態で内容物の注出を行うに当たり、内容物の注出により内部が減圧化して内容物のスムーズな注出を行い得ない場合があって、この点について改善の余地があった。
【０００６】
本発明の課題は、詰替え作業時に内容物が手指に付着するなどの不具合を起こすことなしに、容易かつスムーズに内容物を移し替えることができる詰替え容器を提案するところにある。
【課題を解決するための手段】
【０００７】
本発明は、内容物の充填空間に繋がる口部を有する容器本体と、該容器本体の口部に設けられる注出栓とを備え、該注出栓を詰替えるべき容器の口部に挿入して該充填空間内の内容物を移し替える詰替え容器であって、
前記注出栓は、前記容器本体の口部に装着されるベースと、内容物の注出路を有し該ベースに揺動可能に保持される筒体とを備え、
該ベースは、充填空間内の内容物を排出する排出口と、充填空間内に空気を導入する通気口とをそれぞれ有し、前記容器本体の底部に向けて伸延し該通気口と連通する空気置換用パイプを備え、
前記筒体は、該筒体を引き倒した閉鎖姿勢にて前記注出路と該排出口及び該通気口とを非連通にする閉鎖壁を有し、該閉鎖壁に、該筒体を引き起こした傾斜姿勢にて該注出路に該排出口のみを連通させるとともに、該筒体をさらに引き起こした倒立姿勢にて該注出路に該排出口及び該通気口の両方を連通させる貫通開孔を設けることを特徴とする詰替え容器である。
【０００８】
前記筒体は、該筒体の外面に、該筒体を詰替えるべき容器の口部に挿入して引き起こすに当たり該筒体の先端部とともに該口部内面に当接して該筒体を一時的に保持するリブを備え、該リブは、前記倒立姿勢にて前記ベースに当接する後端側端部を有することが好ましい。
【発明の効果】
【０００９】
内容物を充填する容器本体、及びこの容器本体の口部に設けられる注出栓からなる詰替え容器において、この注出栓を、口部に装着されるベース、及び内容物の注出路を有しベースに揺動可能に保持される筒体にて構成し、ベースに、内容物の排出口と空気を導入する通気口とをそれぞれ設けるとともに、この通気口と連通する空気置換用パイプを設け、筒体に、該筒体を引き倒した閉鎖姿勢にて注出路と排出口及び通気口とを非連通にする閉鎖壁を設け、この閉鎖壁に、筒体を引き起こした傾斜姿勢にて注出路に排出口のみを連通させるとともに、筒体をさらに引き起こした倒立姿勢にて注出路に排出口及び通気口の両方を連通させる貫通開孔を設けたので、筒体の閉鎖姿勢にて充填空間の閉鎖状態を維持することができ、また、筒体の倒立姿勢にて内容物を排出させるに伴い、充填空間内に空気を導入して内容物と空気とを置換させることが可能となり、内容物をスムーズに注出させることができる。特に、筒体を揺動可能としている関係上、閉鎖壁と排出口とを完全に密着させることは困難であるため、筒体を引き起こす途中で通気口が排出口より先に外界と連通すると、排出口から内容物が漏れ出す懸念があるが、上述した構成にすることにより、通気口は排出口よりも後で外界に連通することになるので、内容物の漏れ出しが有効に防止される。
【００１０】
筒体の外面に、この筒体を詰替えるべき容器の口部に挿入して引き起こすに当たり、筒体の先端部とともに口部内面に当接することでこの筒体を一時的に保持するリブを設け、このリブに、筒体の倒立姿勢にてベースに当接する後端側端部を設ける場合は、特に目視等によって筒体の姿勢を確認することなく、容器本体を傾けていくだけで筒体を所期する倒立姿勢に変移させることができるので、注出栓を手指で直接触ることなく容易に詰替え作業を行うことができる。
【図面の簡単な説明】
【００１１】
【図１】本発明に従う詰替え容器の実施の形態を、筒体を引き倒した閉鎖姿勢で示す、（ａ）は側面視での部分断面図であり、（ｂ）は、（ａ）に示すＡ−Ａに沿う断面図であり、（ｃ）は、（ａ）の部分拡大断面図である。
【図２】詰替えるべき容器の一例を示す側面図である。
【図３】吐出器を取り外した図２に示す詰替えるべき容器の口部に、図１に示す詰替え容器の注出栓を挿入した状態を示す部分拡大断面図である。
【図４】図３に示す状態から詰替え容器を傾けて、筒体の先端部と筒体の外面に設けたリブとを詰替えるべき容器の口部内面に当接させた状態を示す部分拡大断面図である。
【図５】図４に示す状態から詰替え容器を傾けて、筒体の注出路とベースの排出口とを連通させた、筒体の傾斜姿勢を示す部分拡大断面図である。
【図６】図５に示す状態から詰替え容器を傾けて、筒体の注出路とベースの排出口及び通気口とを連通させた、筒体の倒立姿勢を示す部分拡大断面図である。
【発明を実施するための形態】
【００１２】
以下、図面を参照して、本発明をより具体的に説明する。
図１は、本発明に従う詰替え容器の実施の形態を、筒体を引き倒した閉鎖姿勢で示す、（ａ）は側面視での部分断面図であり、（ｂ）は、（ａ）に示すＡ−Ａに沿う断面図であり、（ｃ）は、（ａ）の部分拡大断面図である。
【００１３】
図１（ａ）において、符号１は詰替え用の内容物を収容する容器本体である。容器本体１は、底部１０ａから立ち上がる筒状の胴部１０ｂを有し、肩部１０ｃを介して上部を開孔させた口部１０ｄを備えている。口部１０ｄの外周面には、図示の例では外側に向けて凸となる係合部１０ｅが設けられている。また、容器本体１の内側には、内容物の充填空間Ｍが区画形成されている。容器本体１としては、注出による内容物の減少に伴って容器本体１そのものの減容を可能とする袋状ないし薄肉のブローボトル、あるいは人の把持によって変形及び復元可能なスクイズ容器を用いることができるが、これらに限定されず、内容物の注出に際して容器本体１を変形させない剛性の大きいボトルを用いることもできる。
【００１４】
また、符号２は、容器本体１の口部１０ｄに設けられる注出栓である。図１（ａ）に示すように注出栓２は、容器本体１の口部１０ｄに装着されるベース２０と、ベース２０に揺動可能に保持されて、その先端に内容物を詰替え容器から注出させる注出口２１ａを備える筒体２１と、からなる。なお、図示の例で筒体２１は、断面形状が矩形状となるものであるが、正方形状でも円形状であってもよい。
【００１５】
ベース２０は、口部１０ｄを覆う天壁２０ａの外側端縁に、口部１０ｄの外周面を取り囲む周壁２０ｂを一体連結するとともに、周壁２０ｂの内周面に、口部１０ｄの係合部１０ｅに係合する爪状の被係合部２０ｃを備えていて、ベース２０は、アンダーカット係合にて口部１０ｄに装着されている。なお、アンダーカット係合に代えてねじ係合にて装着するようにしてもよい。周壁２０ｂの内側には、口部１０ｄの内周面に液密に当接する環状のシール壁２０ｄが設けられている。
【００１６】
また、天壁２０ａには、図１（ｂ）、（ｃ）に示すように、充填空間内の内容物を排出させる排出口２０ｅと、充填空間内に空気を導入する通気口２０ｆとの２つの貫通孔が設けられている。図示の例で、通気口２０ｆは天壁２０ａの中央付近に設けられ、排出口２０ｅは、筒体２１が引き倒されて横倒しになった姿勢（閉鎖姿勢）において、通気口２０ｆを挟んで注出口２１ａと逆向き（筒体２１の後端側）に設けられている。さらに、天壁２０ａの裏面には、通気口２０ｆを取り囲む環状の保持部２０ｇが設けられていて、容器本体１の底部１０ａに向けて伸延する空気置換用パイプ２２を嵌合保持している。ここで、空気置換用パイプ２２の長さは、充填空間Ｍ内に予定した量の内容物が充填されている状態で容器本体１を上下逆さまにした際、内容物の液面からこの空気置換用パイプ２２の末端が露出するように設定されている。また、図１（ｃ）に示すように、排出口２０ｅ及び通気口２０ｆの近傍には、後述する筒体２１の閉鎖壁２１ｅと天壁２０ａとの間を摺動可能にシールする凸部ｔが設けられている。
【００１７】
そして、天壁２０ａの表面には、図１（ａ）から明らかなように、筒体２１の側部を挟んで立ち上がる一対の側壁２０ｈが設けられ、各側壁２０ｈの内側には、軸受け部２０ｊが設けられている。さらに、筒体２１の閉鎖姿勢において筒体２１の後端側には、一対の側壁２０ｈを相互に連結する連結部２０ｋが形成されている。
【００１８】
また、筒体２１は、それぞれの側壁２０ｈに向けて突出し、軸受け部２０ｊに揺動可能に支持される一対の軸部２１ｂを備えている。筒体２１の内側には、先端側に注出口２１ａを有し後端側に貫通開孔２１ｃを有する注出路２１ｄが形成されている。そして、筒体２１の閉鎖姿勢にて、ベース２０の天壁２０ａと注出路２１ｄとによって挟まれる壁部は、排出口２０ｅ及び通気口２０ｆに覆い被さる閉鎖壁２１ｅとなっている。さらに筒体２１の外面の頂部には、リブ２１ｆが設けられている。なお図示の例でリブ２１ｆは、筒体２１の軸線に沿って１本設けられているものであるが、複数本設けてもよい。
【００１９】
ここで、詰替えるべき容器Ｃは、例えば図２に示すように、口部Ｃ１にポンプを備える吐出器Ｃ２を装着したものであって、内容物の詰替え作業に当たっては、吐出器Ｃ２を取り外しておく。
【００２０】
そして、図３に示すように、詰替えるべき容器Ｃの口部Ｃ１に、閉鎖姿勢の筒体２１を挿入した後、図中矢印で示す向き（筒体２１が引き起こされる向き）に容器本体１を傾けると、筒体２１は、図４に示すように筒体２１の先端部とリブ２１ｆとが口部Ｃ１の内面に当接して一時的に保持される。これにより、詰替えるべき容器Ｃが倒れないように保持された状態で、容器本体１を図中矢印で示す向きにさらに傾けていけば、相対的に筒体２１が引き起こされることになる。
【００２１】
そして、容器本体１を傾ける動作を継続し、図５に示すように、注出路２１ｄに対し排出口２０ｅのみが連通する筒体２１の傾斜姿勢になっても、通気口２０ｆは閉鎖されたままとなっているので、充填空間Ｍ内の内容物はほとんど排出されることがない。
【００２２】
その後、さらに容器本体１を傾ける動作を継続し、図６に示すように注出路２１ｄに対し、排出口２０ｅ及び通気口２０ｆの両方が連通する筒体２１の倒立姿勢になると、充填空間Ｍ内の内容物が空気と置換されて、内容物がスムーズに注出される。なお、筒体２１の倒立姿勢において、リブ２１ｆの後端側端部２１ｇが、ベース２０の連結部２０ｋと当接するようにリブ２１ｆの長さを定めておけば、この後端側端部２１ｇを筒体２１のストッパーとして機能させることができるので、より好ましい。
【産業上の利用可能性】
【００２３】
本発明によれば、内容物が手指に付着するなどの不具合を起こすおそれがなく、また、内容物をよりスムーズに移し替えることができて詰替え作業が容易となる詰替え容器を提案することができる。
【符号の説明】
【００２４】
１  容器本体
２  注出栓
１０ｄ  口部
２０  ベース
２０ｅ  排出口
２０ｆ  通気口
２１  筒体
２１ｃ  貫通開孔
２１ｄ  注出路
２１ｅ  閉鎖壁
２１ｆ  リブ
２１ｇ  後端側端部
２２  空気置換用パイプ
Ｃ    詰替えるべき容器
Ｃ１  詰替えるべき容器の口部
Ｍ    充填空間
【図１】
0005959826.tif 000002
【図２】
0005959826.tif 000003
【図３】
0005959826.tif 000004
【図４】
0005959826.tif 000005
【図５】
0005959826.tif 000006
【図６】
0005959826.tif 000007